(57)【要約】【課題】  文字入力を迅速且つ簡単に行えるようにする。【解決手段】  携帯電話端末は、テンキー等からなるキー操作部５が設けられている筐体表面に相対応する背面側に圧力式ポインティングデバイスを備えている。当該携帯電話端末は、テンキーの各キーにて五十音の各行が選択され、圧力式ポインティングデバイスの押圧操作方向に応じて行内の段が選択される。そして、それら行と段により特定される文字が入力文字としてディスプレイ３上に表示される。【選択図】  図７
2005128802.tif 000002
【特許請求の範囲】
【請求項１】
装置筐体を構成する複数の筐体表面のうち一つの筐体表面上に設置されたテンキーと、
上記装置筐体を構成する複数の筐体表面のうち、上記テンキーが設置された筐体表面とは異なる筐体表面上に設置され、且つ、操作中心軸に対して少なくとも上下左右の各方向へ操作可能な操作デバイスと、
複数の文字が、上記操作デバイスにより操作可能な各方向数以内の文字数毎にグループ分けされ、且つ、上記グループの数が上記テンキーを構成するキー数以内となされて登録された文字グループ登録部と、
上記文字グループ登録部に登録されているグループの中から、上記テンキーのキー入力に応じたグループを選択すると共に、当該選択されたグループの中から、上記操作デバイスの操作方向に応じた文字を選択し、その選択した文字を入力文字として決定する文字決定制御部とを有する
ことを特徴とする携帯型電子装置。
【請求項２】
請求項１記載の携帯型電子装置であって、
上記操作デバイスが設置される筐体表面は、上記テンキーが設置された筐体表面に対して背面側の筐体表面であることを特徴とする携帯型電子装置。
【請求項３】
請求項１記載の携帯型電子装置であって、
上記文字決定制御部は、上記テンキーのキー入力に応じて上記グループを選択する際には、上記グループの選択と同時に当該グループ内の所定の文字を選択し、上記操作デバイスの操作方向に応じて文字を選択する際には、上記テンキーにより選択されたグループに含まれる文字のうち上記所定の文字を除く残りの文字の何れかを上記操作方向に応じて選択することを特徴とする携帯型電子装置。
【請求項４】
請求項３記載の携帯型電子装置であって、
上記文字決定制御部は、上記グループの選択と同時に当該グループ内の所定の文字を選択した後、上記操作デバイスからの操作方向の入力がなされない間に再度上記テンキーのキー入力により同グループが選択されたとき、先のグループ選択と同時に選択された所定の文字を、入力文字として決定することを特徴とする携帯型電子装置。
【請求項５】
請求項１記載の携帯型電子装置であって、
少なくとも文字と画像を表示可能な表示ディスプレイと、
当該表示ディスプレイ上に、上記操作デバイスにより操作可能な方向を表す方向表示アイコンを表示させる表示制御手段とを有することを特徴とする携帯型電子装置。
【発明の詳細な説明】
【技術分野】
【０００１】
本発明は、例えば携帯電話端末やＰＤＡ（Personal Digital Assistant）等の携帯型電子装置に関する。
【背景技術】
【０００２】
近年は、例えば携帯電話端末やＰＤＡのように、ユーザインターフェイスのための操作デバイス用のスペースを多くとることが困難な携帯型電子装置においても、一般的なパーソナルコンピュータと同様に、文字入力・編集機能やインターネットへ接続してウェブページを表示するなどの機能が必須になっている。
【０００３】
また、それら文字入力・編集やウェブページを表示する際、携帯型電子装置は、表示画面上にカーソル等を表示し、操作デバイスを介したユーザからの指示に応じて、当該カーソルを画面上で移動させる等の制御をも行う。
【０００４】
なお、携帯型電子装置の一例である携帯電話端末によれば、一般に、文字の入力・編集のための操作デバイスとしていわゆるテンキーが用いられ、カーソル移動や画面スクロールのための操作デバイスとしては例えばジョグダイヤルや十字キー等が用いられている。
【０００５】
一方、特許文献１には、表示ディスプレイやテンキーが配される筐体主面側と相対する筐体背面側に、トラックボールやジョイスティック、ポインティングスティック等のポインティングデバイスを設けた携帯電話機が開示されている。
【０００６】
この特許文献１に記載の携帯電話機によれば、筐体背面側にポインティングデバイスが設けられているため、ユーザは、当該携帯電話端末を片手で持っている時に、親指により筐体主面側のテンキーを操作している状態で、同時に人差し指により筐体背面側のポインティングデバイスを操作可能となる。すなわちこの特許文献１に記載の携帯電話機は、テンキーとポインティングデバイスを、ユーザが片手のみで同時に操作できることが特徴となっている。
【０００７】
なお、特許文献１に記載の携帯電話機において、上記筐体背面側のポインティングデバイスは、例えばカーソル移動の方向や画面スクロールの方向をユーザが指示するための操作デバイスとなされている。
【特許文献１】特開２００１−１６６３５号公報（第３図）
【発明の開示】
【発明が解決しようとする課題】
【０００８】
ところで、従来の携帯電話端末において、文字の入力や編集用の操作デバイスとして用いられているテンキーを構成する各キーには、それぞれ五十音の各行の仮名が割り当てられている。
【０００９】
具体的に説明すると、テンキーのうちのキー「１」には「あ」行の各文字が、キー「２」には「か」行の各文字が割り当てられ、以下同様に、キー「７」には「ま」行、キー「９」には「ら」行の各文字が割り当てられている。
【００１０】
したがって、例えば「いろはにほ」の文字を入力するには、先ずキー「１」を２回続けて押下操作して「い」の文字を入力し、次にキー「９」を５回続けて押下操作して「ろ」の文字を入力し、更にキー「６」を１回押下操作して「は」の文字を入力し、次にキー「５」を２回続けて押下操作して「に」の文字を入力し、その後キー「６」を５回続けて押下操作して「ほ」の文字を入力するような操作が必要となる。
【００１１】
すなわち、従来の携帯電話端末は、例えば「いろはにほ」の文字を入力するために合計１５回ものキー押下操作が必要となっている。
【００１２】
その他にも、例えば「っ」のような促音を入力するにはキー「４」を６回続けて押下操作しなければならず、また例えば「ぉ」のような平仮名小文字を入力するにはキー「１」を１０回も連続して押下操作しなければならない。
【００１３】
このように、従来の携帯電話端末は、文字を入力するためにテンキーを何度も押下する操作が必要となり非常に煩雑であり、そのため、文章を入力するのに長い時間と多大な労力が必要となっている。
【００１４】
本発明は、このような実情に鑑みて提案されたものであり、文字入力を迅速且つ簡単に行うことができる携帯型電子装置を提供することを目的とする。
【課題を解決するための手段】
【００１５】
本発明の携帯型電子装置は、テンキーと、そのテンキーが設置された筐体表面とは異なる筐体表面上に設置され且つ操作中心軸に対して少なくとも上下左右の各方向へ操作可能な操作デバイスと、複数の文字が、操作デバイスの各方向数以内の文字数毎にグループ分けされ、且つ、グループの数がテンキーを構成するキー数以内となされて登録された文字グループ登録部と、それらグループの中からテンキーのキー入力に応じたグループを選択すると共に、そのグループの中から操作デバイスの操作方向に応じた文字を選択し、その選択した文字を入力文字として決定する文字決定制御部とを有する。
【００１６】
すなわち本発明によれば、テンキーと操作デバイスが異なる筐体表面上に設けられているため、ユーザは、テンキーと操作デバイスを片手の別の指で同時に操作できる。そして、本発明によれば、テンキーにより文字グループが選択され、操作デバイスによりそのグループ内の文字が選択可能となされている。
【発明の効果】
【００１７】
本発明においては、テンキーと操作デバイスが異なる筐体表面上に設けられ、また、テンキーにより文字グループが選択され、操作デバイスによりそのグループ内の文字が選択可能となされているため、ユーザは、テンキーと操作デバイスを片手の別の指で同時に操作することで、所望の文字を迅速且つ容易に入力することができる。
【発明を実施するための最良の形態】
【００１８】
以下、図面を参照しながら、本発明実施形態の携帯型電子装置について説明する。なお、本実施形態では、携帯型電子装置の一例として携帯電話端末を挙げて説明する。
【００１９】
図１，図２は、本発明実施形態の携帯電話端末の一例として、第１の筐体１と、この第１の筐体１に対して折り重なるように二つ折り可能となされる第２の筐体２とを有した、いわゆる折り畳み型（クラムシェル型）の携帯電話端末の外観を示す。
【００２０】
第１の筐体１と第２の筐体２は、互いの一端側を連結部（ヒンジ部）４を介して互いに回動自在とされており、図１の開いた状態（以下、開状態とする）と図示しない折り畳んだ状態（以下、閉状態とする）とを取り得る。すなわちこの折り畳み型の携帯電話端末は、例えば、電話をかけたりメールを送信する場合などには図１の開状態で使用され、充電時や電話をかけない場合には閉状態となされる。
【００２１】
第１の筐体１には、液晶等からなるディスプレイ３と受話用スピーカを備えた受話部等が設けられている。これらディスプレイ３や受話部などは、第２の筐体２と重なり合う側に設けられている。
【００２２】
第２の筐体２には、携帯電話端末の主要な回路構成が内蔵されている。また、この第２の筐体２の上面（第１の筐体１との対向面）には、電話番号等を入力するためのダイヤルボタンであるテンキーや、発話キー、終話／電源キー、モード入力キー、クリアキー、メールキー、その他各種のキーなどからなるキー操作部５、送話用のマイクロホンを備えた送話部などが設けられている。これらキー操作部５や送話部は、第１の筐体１と重なり合う側に設けられている。なお、キー操作部５の各キーは、半透明樹脂により構成され、その内部にＬＥＤ（発光ダイオード）等の発光手段が設けられているとする。携帯電話端末が通常備えているその他の構成については省略する。
【００２３】
また本実施形態の携帯電話端末は、図２に示すように、例えば第２の筐体２の上記キー操作部５等が設けられている筐体主面部と相対応する筐体背面部側に、押圧力及び押圧方向に応じた信号を発生する圧力式ポインティングデバイス６を備えている。当該圧力式ポインティングデバイス６は、詳細については後述するが、ユーザが文字入力やカーソル移動、ページ送り、画面スクロール等の操作入力を行う際の操作デバイスとして設けられている。
【００２４】
ここで、本実施形態の携帯電話端末において、当該圧力式ポインティングデバイス６の取り付け位置は、当該携帯電話端末をユーザが片手で持って操作する場合を考慮した配置位置、具体的には、主に第２の筐体２側が片手で把持される状態の時にユーザの人差し指が来る位置となされている。
【００２５】
すなわち、本実施形態の携帯電話端末によれば、圧力式ポインティングデバイス６が、第２の筐体２のキー操作部５等が設けられている筐体主面部と相対応する筐体背面部側に設けられているため、ユーザは、当該携帯電話端末を片手で持った場合に、その手の親指にてキー操作部５等を操作しつつ、同じ手の人差し指にて圧力式ポインティングデバイス６を操作可能となる。したがって、ユーザは、例えばそれらキー操作部５と圧力式ポインティングデバイス６を併用した迅速な文字入力操作やカーソル移動、ページ送り、画面スクロール等の操作指示を行うことができるようになる。
【００２６】
また、本実施形態の携帯電話端末において、圧力式ポインティングデバイス６の取り付け位置は、上記ユーザの人差し指が来る位置近傍で且つ、第２の筐体２の筐体背面部の幅方向の略々中央付近となされている。
【００２７】
すなわちこの場合、当該携帯電話端末をユーザが左右どちらの手で持った場合であっても、ユーザの人差し指は圧力式ポインティングデバイス６の近傍に来ることになる。したがってこの場合のユーザは、利き手を意識せずに、圧力式ポインティングデバイス６を操作することができることになる。
【００２８】
なお、圧力式ポインティングデバイス６は、筐体背面部側ではなく、筐体側面側やヒンジ部分、第１の筐体１のディスプレイ３が設けられている筐体主面部と相対応する筐体背面部側に設けられていても良い。さらに、圧力式ポインティングデバイス６に代えて、トラックボールやジョイスティック、十字キー、タッチパッドなどを設けるようにしても良い。
【００２９】
図３，図４は、本発明実施形態の携帯電話端末の他の例の外観を示す。
【００３０】
この図３，図４の携帯電話端末は、ディスプレイ３を備えた第１の筐体１１と、当該第１の筐体１１の下側に配され且つ上記ディスプレイ３の表示面と同一方向の表面上にテンキー等のキー操作部５を備えた第２の筐体１２とが、それぞれ筐体一端部に設けられた回転ヒンジ機構（図示せず）を中心として互いに水平方向に回動自在となされた回転オープン型携帯電話端末である。
【００３１】
図３は、本実施形態の携帯電話端末を完全に開いた状態（開状態）から、回転ヒンジ機構を中心として第１の筐体１１と第２の筐体１２を僅かに回転させたときの状態を示している。
【００３２】
第１の筐体１１には、ディスプレイ３の他、受話部等が設けられている。なお、当該回転オープン型の携帯電話端末の場合、第１の筐体１１と第２の筐体１２を回転させることでそれら筐体が重なった状態（閉状態）になる場合でも、第１の筐体１１上のディスプレイ３は常に外側となる。
【００３３】
第２の筐体１２には、テンキー等からなるキー操作部５の他、送話部などが設けられている。なお、携帯電話端末が通常備えているその他の構成については省略する。
【００３４】
また、この携帯電話端末は、図２の例と同様、図４に示すように、第２の筐体１２の上記キー操作部５等が設けられている筐体主面部と相対応する筐体背面部側に、圧力式ポインティングデバイス６を備えている。この図４に示した圧力式ポインティングデバイス６の取り付け位置は、図２の携帯電話端末と同様の位置となされている。またこの例の場合も上述同様に、圧力式ポインティングデバイス６は、筐体背面部側ではなく、筐体側面側やヒンジ部分等に設けられていても良い。さらに、圧力式ポインティングデバイス６に代えて、トラックボールやジョイスティック、十字キー、タッチパッドなどを設けるようにしても良い。
【００３５】
その他、図１〜図４に示した本実施形態の各携帯電話端末は、図示を省略しているが、開状態と閉状態を検知するための開閉検知用のセンサを備えている。当該携帯電話端末は、上記開閉検知用のセンサの開閉検知信号により、開状態と閉状態のいずれかを検知した場合、その検知した状態に応じた制御や処理が可能となされる。
【００３６】
なお、図１，図２の折り畳み型、図３，図４の回転オープン型は、本実施形態の携帯電話端末の筐体タイプの一例であり、本発明はその他の全てのタイプの携帯電話端末にも適用可能である。
【００３７】
〔携帯電話端末の内部構成〕
次に、図５には、図１〜図４に示した本実施形態の各携帯電話端末の概略的な内部構成を示す。
【００３８】
なお、図１及び図２に示した携帯電話端末と、図３及び図４に示した携帯電話端末は、共に内部回路構成については大きな差が無いため、以下それら各携帯電話端末の内部回路構成と動作については区別せずに説明する。
【００３９】
アンテナ３１は、例えば内蔵アンテナであり信号電波の送受信を行う。通信回路３３は、送受信信号の周波数変換、変調と復調、スペクトラム拡散と逆拡散、送受信されたデータが通話音声データかそれ以外のデータかの弁別等を行う。なお、通話音声データ以外のデータとは、画像データや電子メール、プログラムデータ、その他のデータである。
【００４０】
受信された通話音声データは、データラインを介して制御部３２へ送られる。制御部３２は、ＣＰＵ（中央処理装置）からなり、通話音声データを復号化し、その復号化後の音声データをデータラインを介してスピーカ３９へ送る。
【００４１】
スピーカ３９は、送話部のスピーカであり、ディジタル／アナログ変換器と増幅器を含み、音声データをディジタル／アナログ変換及び増幅した後、出力する。これにより、通話音声が得られることになる。
【００４２】
一方、マイクロホン４０は、受話部のマイクロホンであり、アナログ／ディジタル変換器と増幅器を含む。このマイクロホン４０を介して入力された通話音声信号は、増幅器により所定のレベルに増幅された後、アナログ／ディジタル変換器によりディジタル音声データに変換され、データラインを介して制御部３２へ送られて符号化された後、通信回路３３へ送られる。
【００４３】
表示部３４は、第１の筐体（１，１１）のディスプレイ３、及び、そのディスプレイ３に画像を表示するための駆動回路とからなる。なお、本実施形態では図示を省略しているが、表示部３４は、主表示用のディスプレイ３の他に、副表示用ディスプレイを備えていても良い。当該副表示用ディスプレイは、一例として、図１，図２の折り畳み型携帯電話端末において、主表示用ディスプレイ３が配されている第１の筐体１の筐体主面部に相対応する背面側の筐体表面上に設けることができる。
【００４４】
操作部３５は、第２の筐体（２，１２）のキー操作部５に相当する。
【００４５】
メモリ３６は、ＲＯＭとＲＡＭを含む。ＲＯＭは、制御部３２が各部を制御するための制御プログラムや各種の初期設定値、本実施形態の文字入力処理等を行うためのプログラムコード、当該携帯電話端末の電話番号、フォントデータ、後述するグループ分けされた文字データや予測変換の候補単語が登録された辞書データ、キー操作部５と圧力式ポインティングデバイス６の連携処理を実行するためのプログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭのような書き換え可能なＲＯＭを含み、電子メールデータ、ユーザにより設定される電話帳や電子メールアドレス、ダウンロードされた写真データや着信音データ、文字データのグループ分けや予測変換の候補単語の登録データや予測変換の学習データ、その他、各種のユーザ設定値等を保存することも可能となされている。ＲＡＭは、制御部３２が各種のデータ処理を行う際の作業領域や文字入力処理中の作業領域として、随時データを格納する。
【００４６】
検知センサ４４は、前述した開閉検知用のセンサや縦横検知用のセンサに相当する。
【００４７】
タイマー回路４５は、通常の時計機能の他、制御ラインを介して各部へクロック信号を供給することも行う。
【００４８】
圧力式ポインティングデバイス入力プロセッサ３８は、第２の筐体（２，１２）の筐体背面側に設けられている前述の圧力式ポインティングデバイス６からの入力信号を解析し、圧力式ポインティングデバイス６が何れの方向にどの程度の力でユーザにより押圧操作されたのかを検出する。また、当該圧力式ポインティングデバイス入力プロセッサ３８は、上記圧力式ポインティングデバイス６からの入力信号とタイマー回路４５からのクロック信号とに基づいて、圧力式ポインティングデバイス６が短時間に一度だけ押圧操作されたいわゆるクリック操作や、圧力式ポインティングデバイス６が短時間に二度押圧操作されたいわゆるダブルクリック操作、圧力式ポインティングデバイス６が連続して押圧操作されたときの時間等を検出する。この圧力式ポインティングデバイス入力プロセッサ３８は、上述したクリック操作やダブルクリック操作の操作検出信号、連続押圧操作の時間等のデータを、制御ラインを介して制御部３２へ送る。
【００４９】
制御部３２は、上述した通話音声データの符号化や復号化の他、制御ラインを介して当該携帯電話端末の各構成要素の制御や各種の演算処理を行う。また、制御部３２は、操作部３５からの入力信号や圧力式ポインティングデバイス入力プロセッサ３８からの信号、検知センサ４４からの検知信号、タイマー回路４５からの時間信号等を受け取り、それら信号に応じた処理や演算を行う。特に、本実施形態の制御部３２は、本発明にかかる文字入力処理機能を実現するための各種演算や制御を行う。
【００５０】
その他、図５には図示を省略しているが、本実施形態の携帯電話端末は、各部に電力を供給する電源回路や、音楽の録音や再生を行うための音楽録音再生部、ブラウザ機能、例えば外部メモリ等の外部記憶装置と端末本体とを接続するためのインターフェイス、外部リモートコントローラの接続端子、近距離で様々な情報を無線により通信（赤外線通信等も含む）するための近距離無線通信部、携帯電話端末の現在位置を検出するための測位デバイスであるＧＰＳ（Global Positioning System）部、デジタルカメラ機能を実現するための構成であり、レンズ系及びそのレンズのフォーカス合わせ等を行うための駆動系、撮像素子等などを備えている。
【００５１】
〔キー操作部と圧力式ポインティングデバイスを併用した文字入力の基本操作〕
以下、本実施形態の携帯電話端末において、上記キー操作部５上のテンキーと圧力式ポインティングデバイス６を併用した文字入力について説明する。
【００５２】
図５に示した本実施形態の携帯電話端末のメモリ３６に格納されている文字データは、予めそれぞれ上述したグループ毎に分けて登録されており、文字入力モード時の本実施形態の携帯電話端末は、それら複数のグループの何れかを、キー操作部５の各テンキーの何れかの押下操作により選択可能となっている。
【００５３】
また、本実施形態の携帯電話端末は、グループ内の文字の何れかを、圧力式ポインティングデバイス６による何れか方向の押圧操作により選択可能となっている。
【００５４】
すなわち、本実施形態の携帯電話端末は、キー操作部５の各テンキーの押下操作と、圧力式ポインティングデバイス６による押圧操作方向とにより、一つの文字を特定し、その特定した文字を入力文字としてディスプレイ３上に表示可能となされている。
【００５５】
なお、テンキーと圧力式ポインティングデバイス６の操作タイミングは、同時であっても良いし或いは時間がずれていても良く、テンキーが先に押下操作された後に圧力式ポインティングデバイス６が押圧操作されても、逆に、圧力式ポインティングデバイス６が押圧操作された後にテンキーが押下操作されても良い。
【００５６】
〔文字入力時の基本動作フロー〕
図６には、本実施形態の携帯電話端末における文字入力時の基本動作フローチャートを示す。
【００５７】
図６において、本実施形態の携帯電話端末の制御部３２は、ステップＳ１０にて、操作部３５からテンキーの押下操作に応じた入力信号を受け取ると、ステップＳ１１の処理として、その押下操作されたキーに応じた文字グループを、メモリ３６の辞書データから選択する。
【００５８】
次に、制御部３２は、ステップＳ１２にて、圧力式ポインティングデバイス６の押圧操作による信号を、圧力式ポインティングデバイス入力プロセッサ３８から受け取ると、ステップＳ１３の処理として、先にテンキーの押下操作により選択された文字グループの中から、圧力式ポインティングデバイス６の押圧操作方向に応じた文字を選択する。
【００５９】
そして、制御部３２は、ステップＳ１４にて、圧力式ポインティングデバイス６が例えばクリック操作されることによる信号を圧力式ポインティングデバイス入力プロセッサ３８から受け取るまで、ステップＳ１０からステップＳ１４までの処理を繰り返す。
【００６０】
制御部３２は、ステップＳ１４にて、圧力式ポインティングデバイス６がクリック操作されたことを検知すると、ステップＳ１５の処理として、ステップＳ１０からステップＳ１４までの処理の繰り返しにより入力された各文字列を、所定の変換処理前の文字列として決定する。
【００６１】
なお、所定の変換処理とは、平仮名の文字列をカタカナや漢字に変換する処理、アルファベット小文字の文字列を大文字に変換したり、或る言語を他の言語に変換する処理、入力文字列から予測される複数の変換候補文字の中から所望の候補文字を選択する処理などが考えられる。
【００６２】
その後、制御部３２は、ステップＳ１６にてステップＳ１５での変換処理を終了させた後、ステップＳ１７にて、ユーザにより文字入力処理の終了指示がなされるまでステップＳ１０からステップＳ１７までの処理を繰り返し、当該ステップＳ１７にてユーザによる終了指示がなされたときには、当該文字入力処理を終了する。
【００６３】
〔文字グループの具体例と文字入力動作の具体例〕
ここで、本実施形態において、上述した文字のグループ分けの一例としては、例えば五十音の各行毎のグループ分けが考えられる。この場合、テンキーの押下操作により所望の行が選択可能となり、圧力式ポインティングデバイス６の押圧操作方向により所望の段が選択可能となる。すなわちこの例の場合、テンキーの押下操作により行が選択されると共に、圧力式ポインティングデバイス６の押圧操作方向により段が選択されると、それら選択された行と段とにより文字が特定されることになり、その特定された文字が入力文字となる。
【００６４】
また、文字を五十音の各行毎にグループ分けした場合、テンキーの押下操作により行選択を可能にする一方で、圧力式ポインティングデバイス６の押圧操作方向により選択されるのは「ａ」，「ｉ」，「ｕ」，「ｅ」，「ｏ」の各母音であっても良い。すなわちこの場合、テンキーの押下操作により選択された行と、圧力式ポインティングデバイス６の押圧操作方向により選択された母音とにより文字が特定されることになる。
【００６５】
さらに、文字を五十音の各行毎にグループ分けすると共に、圧力式ポインティングデバイス６の押圧操作方向で母音を選択可能にする場合、特に、各行の先頭文字、つまり各行の母音「ａ」が含まれる文字については、テンキーの押下操作により選択可能としてもよい。すなわち、テンキーの押下操作により選択可能なのは行とその先頭文字とし、一方、圧力式ポインティングデバイス６の押圧操作方向により選択されるのは「ａ」の母音を除く残りの４つの母音「ｉ」，「ｕ」，「ｅ」，「ｏ」とすることも可能である。この例の場合、各行の先頭文字についてはテンキーのみで選択することができることになる。
【００６６】
その他、文字のグループ分けとしては、例えばアルファベット文字を数文字ずつ分けたグループを挙げることができる。その場合、テンキーにより各グループが選択され、圧力式ポインティングデバイス６によりグループ内のアルファベット文字が選択可能となり、それによりアルファベット文字が特定されることになる。
【００６７】
〔文字のグループの具体例と文字入力動作の具体例〕
以下、五十音の各行をグループとし、テンキーにより行とその先頭文字を選択可能とし、また、圧力式ポインティングデバイス６により４つの母音「ｉ」，「ｕ」，「ｅ」，「ｏ」を選択可能とした場合を例に挙げ、図７を参照しながら、本実施形態の携帯電話端末におけるキー操作部５上のテンキーと圧力式ポインティングデバイス６を併用した平仮名の文字入力について説明する。なお、図７の例は、文字入力モード時における本実施形態の開状態の携帯電話端末の正面図を示している。
【００６８】
この例において、携帯電話端末は、テンキーのうちのキー「１」の押下操作により「あ行」とその先頭文字「あ」が選択可能となされ、キー「２」の押下操作により「か行」とその先頭文字「か」が、キー「３」の押下操作により「さ行」とその先頭文字「さ」が、キー「４」の押下操作により「た行」とその先頭文字「た」が、キー「５」の押下操作により「な行」とその先頭文字「な」が、キー「６」の押下操作により「は行」とその先頭文字「は」が、キー「７」の押下操作により「ま行」とその先頭文字「ま」が、キー「８」の押下操作により「や行」とその先頭文字「や」が、キー「９」の押下操作により「ら行」とその先頭文字「ら」が、キー「０」の押下操作により「わ行」とその先頭文字「わ」が、それぞれ選択可能になされている。
【００６９】
また、本実施形態の携帯電話端末は、押圧式ポインティングデバイス６の上方向押圧操作により母音のうちの「ｉ」が選択可能となされ、右方向押圧操作により「ｕ」が、下方向押圧操作により「ｅ」が、左方向押圧操作により「ｏ」がそれぞれ選択可能となされている。
【００７０】
また、本実施形態の携帯電話端末は、図７に示すように、圧力式ポインティングデバイス６により各母音を選択する際の指標となる上下左右の押圧操作方向を示す四つの矢印マークと、それら矢印マークで示される各押圧操作方向に何れの母音が対応しているのかを明示するための「ｉ」〜「ｏ」の各文字とが配された方向表示アイコン２０を、ディスプレイ３上に表示する。そして、圧力式ポインティングデバイス６が押圧操作された時、本実施形態の携帯電話端末は、その押圧操作方向に対応した矢印マークを例えばハイライト表示することにより、何れの母音が選択されているのかをユーザに知らせる。さらに、本実施形態の携帯電話端末は、テンキーのうち、ユーザにより押下操作されたキーに内蔵されたＬＥＤを点灯させることにより、何れの行が選択されているのかをユーザに知らせることも行う。
【００７１】
以下、図７の例のように「いろはにほ」の各文字を入力する場合について、ディスプレイ３の表示例を参照しながら順に説明する。
【００７２】
先ず、キー「１」が押下操作されて「あ行」が選択されると、図８に示すように、ディスプレイ３上には、当該「あ行」の先頭文字である「あ」の文字が選択された文字としてカーソル５０と共に表示される。なお、カーソル５０は、ハイライト表示や文字の反転表示により表される。
【００７３】
そしてその状態で、圧力式ポインティングデバイス６が上方向に押圧操作されて母音「ｉ」が選択されると、図９に示すように、キー「１」の押下操作による「あ行」と当該圧力式ポインティングデバイス６の上方向押圧操作による母音「ｉ」とから、「い」の文字が特定され、その「い」の文字がカーソル５０と共にディスプレイ３上に表示される。
【００７４】
次いで、キー「９」が押下操作されて「ら行」が選択されると、図１０に示すように、ディスプレイ３上では、先に特定された「い」の文字の例えば右隣に、当該「ら行」の先頭文字である「ら」の文字が選択された文字としてカーソル５０と共に表示される。
【００７５】
そしてその状態で、圧力式ポインティングデバイス６が左方向に押圧操作されて母音「ｏ」が選択されると、図１１に示すように、キー「９」の押下操作による「ら行」と当該圧力式ポインティングデバイス６の左方向押圧操作による母音「ｏ」とから、「ろ」の文字が特定され、その「ろ」の文字がカーソル５０と共にディスプレイ３上に表示される。
【００７６】
次いで、キー「６」が押下操作されて「は行」が選択されると、図１２に示すように、ディスプレイ３上では、先に特定された「ろ」の文字の右隣に、当該「は行」の先頭文字である「は」の文字が選択された文字としてカーソル５０と共に表示される。
【００７７】
そしてその状態で、圧力式ポインティングデバイス６が何も操作されず、次の文字入力のために例えばキー「５」が押下操作されて「な行」が選択されると、図１３に示すように、「は」の文字が特定され、ディスプレイ３上には先の「ろ」の文字の左隣に当該「は」の文字が表示され、さらにその左隣に「な」の文字がカーソル５０と共に表示される。
【００７８】
さらにその状態で、圧力式ポインティングデバイス６が上方向に押圧操作されて母音「ｉ」が選択されると、図１４に示すように、先のキー「５」の押下操作による「な行」と当該圧力式ポインティングデバイス６の上方向押圧操作による母音「ｉ」とから、「に」の文字が特定され、その「に」の文字がカーソル５０と共にディスプレイ３上に表示される。
【００７９】
次いで、キー「６」が押下操作されて「は行」が選択されると、図１５に示すように、ディスプレイ３上では、先に特定された「に」の文字の右隣に、当該「は行」の先頭文字である「は」の文字が選択された文字としてカーソル５０と共に表示される。
【００８０】
そしてその状態で、圧力式ポインティングデバイス６が左方向に押圧操作されて母音「ｏ」が選択されると、前記図７に示したように、キー「６」の押下操作による「は行」と当該圧力式ポインティングデバイス６の左方向押圧操作による母音「ｏ」とから、「ほ」の文字が特定され、その「ほ」の文字がカーソル５０と共にディスプレイ３上に表示される。
【００８１】
なお、本実施形態の携帯電話端末において、「ぁ」，「ぃ」，「ぅ」，「ぇ」，「ぉ」などの平仮名小文字や「っ」などの促音文字、その他「ゃ」などの各文字は、その文字の行に対応したテンキーが例えば一定時間以上連続的に押下操作されたときに入力される。
【００８２】
以上により、図７の例のように「いろはにほ」までの各文字がディスプレイ３上に表示されることになる。
【００８３】
ここで、本実施形態の携帯電話端末によれば、「いろはにほ」の文字は、上述したように、テンキーが６回の押下操作、圧力式ポインティングデバイス６が３回の押圧操作、すなわち合計９回の操作で入力することができる。それだけでなく、本実施形態の携帯電話端末によれば、テンキーと圧力式ポインティングデバイス６の操作は略々同時に行っても良いため、当該同時操作が行われる場合には、実質的にはそれらテンキーと圧力式ポインティングデバイスにおける３回の同時操作と、それ以外のテンキーの３回の押下操作、つまり略々６回の操作により、上記「いろはにほ」の文字入力が可能となる。
【００８４】
また、本実施形態の携帯電話端末の例のように、テンキーにより行とその先頭文字を選択可能とし、また圧力式ポインティングデバイス６により４つの母音「ｉ」，「ｕ」，「ｅ」，「ｏ」を選択可能とした場合において、キー「１」を押下操作して「あ行」の先頭文字「あ」が選択された状態で、圧力式ポインティングデバイス６が何も操作されず、キー「１」が繰り返し複数回押下操作されたときには、例えば図１６のように、当該「あ」の文字がキー「１」の押下操作毎に特定されてディスプレイ３上に順次表示されることになる。すなわち、従来の携帯電話端末の場合は、キー「１」を連続して複数回押下操作すると、そのキー「１」に割り当てられている「あ行」の各段の文字が順次ディスプレイ上に表示されることになるのに対して、本実施形態の携帯電話端末はキー「１」の連続押下操作で「あ」の文字を複数続けて入力することが可能となる。
【００８５】
その他、この例は、アルファベット文字をグループ分けした文字入力モードにおいても同様に適用可能であることは言うまでもない。なお、アルファベット文字をグループ分けした場合、一例として、テンキーのうちのキー「１」の押下操作により「ＡＢＣＤＥ」グループとその先頭文字「Ａ」を選択可能とし、キー「２」の押下操作により「ＦＧＨＩＪ」グループとその先頭文字「Ｆ」を、キー「３」の押下操作により「ＫＬＭＮＯ」グループとその先頭文字「Ｋ」を、キー「４」の押下操作により「ＰＱＲＳＴ」グループとその先頭文字「Ｐ」を、キー「５」の押下操作により「ＵＶＷＸＹ」グループとその先頭文字「Ｕ」を、キー「６」の押下操作により「Ｚ．，？＄」グループとその先頭文字「Ｚ」を、それぞれ選択可能とするようなことが考えられる。
【００８６】
またこの場合、一例として、押圧式ポインティングデバイス６の上方向押圧操作によりグループ内の２番目のアルファベット文字を選択可能とし、右方向押圧操作によりグループ内の３番目のアルファベット文字を、下方向押圧操作によりグループ内の４番目のアルファベット文字を、左方向押圧操作によりグループ内の５番目のアルファベット文字をそれぞれ選択可能とするようなことが考えられる。勿論、上記グループ分けと各キーや押圧操作方向への文字の割り付けは一例である。
【００８７】
なお、上述したようなテンキーに対するグループの割り当ては一例であるため、本発明はそれらグループ分けとそれらグループの各キーへの割り付け例に限定されるものではない。また、各キーへのグループの割り当ては、ユーザが任意に変更できるものであっても良く、同様に、圧力式ポインティングデバイス６の各押圧操作方向に対する文字や母音の割り当てもユーザが任意に変更できるものであっても良い。
【００８８】
〔文字入力に予測変換処理を適用した具体例〕
本実施形態の携帯電話端末は、入力された文字に応じて、複数の変換候補文字や変換候補単語を予測し、それら予測により得られた複数の変換候補文字や変換候補単語或いは連文節の候補単語等をディスプレイ３上に表示させ、それら複数の変換候補文字や変換候補単語或いは連文節の候補単語等の中から、ユーザが所望する文字や単語、連文節の単語等を選択可能とするような、予測変換機能を備えている。
【００８９】
以下、テンキーにより行とその先頭文字が選択され、また圧力式ポインティングデバイス６により４つの母音「ｉ」，「ｕ」，「ｅ」，「ｏ」が選択される文字入力処理に、予測変換機能を組み合わせた文字入力モードを、図１７〜図２０を参照しながら順に説明する。
【００９０】
図１７〜図１９には、予測変換機能が適用された文字入力モード時における本実施形態の携帯電話端末のディスプレイ３の画面例を示している。この予測変換機能が適用された文字入力モード時、本実施形態の携帯電話端末は、ディスプレイ３上に、入力中及び入力済の文字が表示される入力文字表示エリア５１と、予測変換の候補文字が表示される変換候補表示エリア５２とを表示する。なお、図１７〜図１９の例の場合も、前述の図８〜図１６の例の方向表示アイコン２０をディスプレイ３上に表示しても良い。
【００９１】
図１７の例では、入力文字表示エリア５１上に、入力決定済みの「私は、」までの文字列と、確定文字の「あ」がカーソル５０と共に表示されている。このとき、本実施形態の携帯電話端末は、変換候補表示エリア５２上に、確定文字「あ」から予測される複数の変換候補単語を表示する。また、この変換候補表示エリア５２には、予測変換候補の選択をユーザが行わないことを指示するためのクリアアイコン５４も表示されている。
【００９２】
次に、例えばキー「７」が押下されて「ま行」が選択され、さらに圧力式ポインティングデバイス６が下方向に押下操作されて母音「ｅ」が選択されると、図１８に示すように、ディスプレイ３上には、上記「あ」の確定文字にアンダーラインが表示されると共に、その右隣に、当該「ま行」と母音「ｅ」から特定される「め」が確定文字としてカーソル５０と共に表示される。またこのとき、変換候補表示エリア５２上には、「あ」と「め」から予測される複数の変換候補単語が表示される。
【００９３】
次に、例えば圧力式ポインティングデバイス６がクリック操作されると、本実施形態の携帯電話端末は、上記変換候補表示エリア５２をアクティブ状態とし、図１９に示すように、当該変換候補表示エリア５２内に表示されている各予測変換候補の選択が可能な状態とする。当該アクティブ状態のとき、変換候補表示エリア５２内の先頭の予測変換候補にはカーソル５５が表示される。
【００９４】
上記カーソル５５は、選択可能な予測変換候補を示すためのものであり、また、例えば圧力式ポインティングデバイス６の押圧操作方向に応じて変換候補表示エリア５２内を移動する。そのカーソル５５の移動により、選択可能な予測変換候補が変更される。
【００９５】
そして、カーソル５５が何れかの予測変換候補上に表示されている状態で、例えば圧力式ポインティングデバイス６がクリック操作されると、当該候補の選択が決定され、入力文字表示エリア５１に、その決定された候補の単語が入力単語として表示されると共に、当該入力文字表示エリア５１がアクティブ状態になる。
【００９６】
〔予測変換処理を適用した文字入力モード時の動作フロー〕
図２０には、予測変換処理が適用された場合の、本実施形態の携帯電話端末における文字入力時の動作フローチャートを示す。
【００９７】
図２０において、図５に示した本実施形態の携帯電話端末の制御部３２は、ステップＳ２１にて、操作部３５からテンキーの押下操作に応じた入力信号を受け取ると、ステップＳ２２の処理として、その押下操作されたキーに応じた文字グループの先頭文字を選択し、その文字を入力文字表示エリア５１に表示させる。
【００９８】
次に、制御部３２は、ステップＳ２３にて、圧力式ポインティングデバイス入力プロセッサ３８から、圧力式ポインティングデバイス６による方向指示の押圧操作信号が送られてきたか否か判断し、押圧操作信号が送られてきていないときにはステップＳ２５へ処理を進め、一方、押圧操作信号が送られてきたときにはステップＳ２４へ処理を進める。
【００９９】
ステップＳ２４の処理に進むと、制御部３２は、その押圧操作方向に対応する文字をグループから選択して、入力文字表示エリア５１に表示させた後、ステップＳ２５へ処理を進める。
【０１００】
ステップＳ２５の処理に進むと、制御部３２は、過去の確定済みの文字列の例えば右隣に、現在選択されている文字を足した文字列を表示させると共に、変換候補表示エリア５２に、その選択中の文字列に対する予測変換の候補を表示させる。
【０１０１】
この状態のとき、制御部３２は、ステップＳ２６にて、圧力式ポインティングデバイス入力プロセッサ３８から、圧力式ポインティングデバイス６のクリック操作に対応した操作信号が送られてきたか判断し、クリック操作信号が送られてきていない間はステップＳ３２へ処理を進め、クリック操作信号が送られてきたときにはステップＳ２７へ処理を進める。
【０１０２】
ステップＳ３２の処理に進むと、制御部３２は、操作部３５からテンキーの押下操作信号が送られてきたか否か判断し、押下操作信号が送られてきていない間はステップＳ３１へ処理を進め、押下操作信号が送られてきたときにはステップＳ３３へ処理を進める。
【０１０３】
ステップＳ３２にてテンキーの押下操作信号が送られてきたと判断してステップＳ３３の処理に進むと、制御部３２は、現在選択されている文字列を確定し、ステップＳ２２へ処理を戻す。
【０１０４】
また、ステップＳ３２にてテンキーの押下操作信号が送られてきておらず、ステップＳ３１の処理に進むと、制御部３２は、操作部３５を介してユーザから終了指示がなされたか否か判断し、終了指示がなされたときにはこの図２０の処理を終了し、一方、終了指示がなされていない間はステップＳ２１へ処理を戻す。
【０１０５】
また、ステップＳ２６にて圧力式ポインティングデバイス６によるクリック操作信号を受け取り、ステップＳ２７の処理に進むと、制御部３２は、入力文字表示エリア５１上に選択された表示されていた文字列を確定すると共に、変換候補表示エリア５２をアクティブにする。このステップＳ２７の処理の後、制御部３２は、ステップＳ２８へ処理を進める。
【０１０６】
ステップＳ２８の処理に進むと、制御部３２は、圧力式ポインティングデバイス６の操作信号により、変換候補表示エリア５２上に表示されている各候補の中からユーザにより何れかの候補が選択されたか否か判断し、候補の選択がなされていない間はステップＳ３０へ処理を進め、候補の選択がなされた時にはステップＳ２９へ処理を進める。
【０１０７】
ステップＳ２９の処理に進むと、制御部３２は、例えば操作部３５からの操作信号により、変換候補表示エリア５２上のクリアアイコン５４がユーザにより選択されたか否か判断し、クリアアイコン５４が選択されたときにはステップＳ３４へ処理を進め、クリアアイコン５４が選択されていない間はステップＳ２８へ処理を戻す。
【０１０８】
ステップＳ２９にてユーザによりクリアアイコン５４が選択されてステップＳ３４の処理に進むと、制御部３２は、直前に確定していた文字列をキャンセルし、入力文字表示エリア５１をアクティブ、つまり入力文字表示エリア５１内での文字入力が可能な状態にした後、ステップＳ２１へ処理を戻す。
【０１０９】
また、ステップＳ２８にてユーザにより何れの候補選択もなされておらずにステップＳ３０の処理に進むと、制御部３２は、ステップＳ２８にて選択された予測変換の候補を確定し、その候補単語を入力文字表示エリア５１に表示した後、ステップＳ３１へ処理を進める。
【０１１０】
〔メニュー選択への適用例〕
本実施形態の携帯電話端末は、圧力式ポインティングデバイス６をメニュー選択に用いることも可能となっている。
【０１１１】
図２１〜図２３は、圧力式ポインティングデバイス６によりメニュー選択が行われる際のディスプレイ３の画面例を示している。
【０１１２】
図２１，図２２は、ディスプレイ３の画面上にメニュー項目として、「機能１：ディスプレイ」、「機能２：メール」、「機能３：メモリカード」等が表示されている。なお、「機能１：ディスプレイ」はディスプレイの設定メニュー、「機能２：メール」はメールに関するメニュー、「機能３：メモリカード」はメモリカードに関する設定メニューである。また、図中の線６０は、選択中のメニューを明示するためのカーソルである。
【０１１３】
ここで、図２１の表示状態のときに、圧力式ポインティングデバイス６が例えば下方向押圧操作されると、カーソル６０は、図２２に示すように一つ下のメニューへ移動する。そして、例えばこの状態で、圧力式ポインティングデバイス６がダブルクリック操作されると、そのメニューが決定され、当該メニュー内の機能に遷移する。図２３は、図２２にて「機能２：メール」のメニューが決定されることで、ディスプレイ３の表示が、メール機能の画面に遷移した状態を表している。
【０１１４】
〔メニュー選択時の動作フローチャート〕
図２４には、メニュー選択時の本実施形態の携帯電話端末の動作の流れを示す。
【０１１５】
図２４において、制御部３２は、メニュー選択モードのとき、ステップＳ４１の処理として、タイマー回路４５からのクロック信号を元にインターバルタイマーを起動させており、またその間、ステップＳ４２の処理として、圧力式ポインティングデバイス入力プロセッサ３８を介して圧力式ポインティングデバイス６の状態をチェックしている。
【０１１６】
そして、制御部３２は、ステップＳ４３にて圧力式ポインティングデバイス６が押圧操作されたか否かを判断し、押圧操作がなされていない間はステップＳ４１へ処理を戻し、押圧操作がなされたと判断した場合にはステップＳ４４へ処理を進める。
【０１１７】
ステップＳ４４の処理に進むと、制御部３２は、圧力式ポインティングデバイス６の押圧操作方向は上方向か否か判断し、上方向であるときにはステップＳ４７へ、上方向でないときにはステップＳ４５へ処理を進める。
【０１１８】
ステップＳ４７の処理に進むと、制御部３２は、ディスプレイ６上で、カーソル６０を一メニュー項目分上方向に移動させた後、ステップＳ４１へ処理を戻す。
【０１１９】
一方、ステップＳ４５の処理に進むと、制御部３２は、圧力式ポインティングデバイス６の押圧操作方向は下方向か否か判断し、下方向であるときにはステップＳ４８へ、下方向でないときにはステップＳ４６へ処理を進める。
【０１２０】
ステップＳ４８の処理に進むと、制御部３２は、ディスプレイ６上で、カーソル６０を一メニュー項目分下方向に移動させた後、ステップＳ４１へ処理を戻す。
【０１２１】
ステップＳ４６の処理に進むと、制御部３２は、圧力式ポインティングデバイス６がダブルクリック操作されたか否か判断し、ダブルクリック操作されたと判断したときにはステップＳ４９へ進める。
【０１２２】
一方、ステップＳ４６にてダブルクリック操作されていないと判断したとき、つまりステップＳ４３で押圧操作有りとなされた上記圧力式ポインティングデバイス６の操作が、上方向，下方向以外の方向への押圧操作であったとき、制御部３２は、ステップＳ４１へ処理を戻す。
【０１２３】
〔まとめ〕
以上説明したように、本実施形態の携帯電話端末によれば、テンキーと圧力式ポインティングデバイス６を併用した文字入力等が可能となされているため、入力動作を簡単且つ非常に迅速に行うことができる。
【０１２４】
また、本実施形態の携帯電話端末によれば、テンキーが筐体主面側に設けられ、圧力式ポインティングデバイス６が筐体背面側に設けられているため、片手の親指と人差し指による迅速な入力操作と共に、手により筐体を安定した状態で持つことができる。
【０１２５】
さらに、本実施形態の携帯電話端末によれば、テンキーと圧力式ポインティングデバイス６がそれぞれ筐体の異なる面上に配されているため、それらを同一の筐体表面上に設ける場合よりも設置の自由度が高くなる。
【０１２６】
また、テンキーと圧力式ポインティングデバイス６を同一筐体表面上に配することにした場合、当該筐体表面の面積はそれらを全て配置することができるだけの大きさが必要になるのに対し、本実施形態の場合は、同一の筐体面上にテンキーと圧力式ポインティングデバイスの何れかのみ配置すれば良いため、結果として筐体を小型化することが可能となる。
【０１２７】
その他、本実施形態の携帯電話端末は、圧力式ポインティングデバイスを設けたことで、当該圧力式ポインティングデバイス６を、カメラ機能やゲーム機能など様々な機能の操作も手軽に利用できるようになる。例えば、カメラ機能の場合、フォーカス位置を当該圧力式ポインティングデバイス６により指定するようなことも可能となる。
【０１２８】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１２９】
本実施形態は、携帯電話端末に限らず、例えばＰＤＡ、ディジタルテレビジョン受像機やカーナビゲーション装置のリモートコントローラ、コンピュータマウスなどの各種の電子機器に適用可能であり、それら電子機器において、仮名入力と漢字変換、英数字の入力等を行うこと場合に好適である。
【図面の簡単な説明】
【０１３０】
【図１】本発明実施形態の折り畳み型携帯電話端末を開いた状態で正面側から観た外観図である。
【図２】本発明実施形態の折り畳み型携帯電話端末の開いた状態で背面側から観た外観図である。
【図３】本発明実施形態の回転オープン型携帯電話端末を開いた状態で正面側から観た外観図である。
【図４】本発明実施形態の回転オープン型携帯電話端末の開いた状態で背面側から観た外観図である。
【図５】本実施形態の携帯電話端末の内部の概略構成を示すブロック図である。
【図６】本実施形態の携帯電話端末における文字入力時の基本動作フローチャートである。
【図７】本実施形態の携帯電話端末の文字入力モード時における表示と動作の説明に用いる図である。
【図８】文字入力モード時の動作説明に用いる図であり、特にテンキーの操作により「あ行」の先頭文字「あ」が選択されることで、「あ」の文字がディスプレイ上に表示された状態を示す図である。
【図９】文字入力モード時の動作説明に用いる図であり、図８の状態から圧力式ポインティングデバイスの操作により母音「ｉ」が選択されることで、「い」の文字がディスプレイ上に表示された状態を示す図である。
【図１０】文字入力モード時の動作説明に用いる図であり、図９の状態からテンキーの操作により「ら行」の先頭文字「ら」が選択されることで、「いら」の文字列がディスプレイ上に表示された状態を示す図である。
【図１１】文字入力モード時の動作説明に用いる図であり、図１０の状態から圧力式ポインティングデバイスの操作により母音「ｏ」が選択されることで、「いろ」の文字列がディスプレイ上に表示された状態を示す図である。
【図１２】文字入力モード時の動作説明に用いる図であり、図１１の状態からテンキーの操作により「は行」の先頭文字「は」が選択されることで、「いろは」の文字列がディスプレイ上に表示された状態を示す図である。
【図１３】文字入力モード時の動作説明に用いる図であり、図１２の状態からテンキーの操作により「な行」が選択されることで、「いろはな」の文字列がディスプレイ上に表示された状態を示す図である。
【図１４】文字入力モード時の動作説明に用いる図であり、図１３の状態から圧力式ポインティングデバイスの操作により母音「ｉ」が選択されることで、「いろはに」の文字列がディスプレイ上に表示された状態を示す図である。
【図１５】文字入力モード時の動作説明に用いる図であり、図１４の状態からテンキーの操作により「は行」が選択されることで、「いろはには」の文字列がディスプレイ上に表示された状態を示す図である。
【図１６】文字入力モード時の動作説明に用いる図であり、テンキーの連続した複数回（３回）の押下操作により、「あああ」の文字列がディスプレイ上に表示された状態を示す図である。
【図１７】文字入力モード時の動作説明に用いる図であり、入力文字表示エリア上で「あ」の文字が確定したことで、その「あ」の文字に対応した予測変換候補が変換候補表示エリアに表示された状態を示す図である。
【図１８】文字入力モード時の動作説明に用いる図であり、図８の状態からさらに「め」の文字が確定したことで、「あめ」の文字列に対応した予測変換候補が変換候補表示エリアに表示された状態を示す図である。
【図１９】文字入力モード時の動作説明に用いる図であり、変換候補表示エリアがアクティブになった状態を示す図である。
【図２０】予測変換処理が適用された場合の、本実施形態の携帯電話端末における文字入力時の動作フローチャートである。
【図２１】圧力式ポインティングデバイスによりメニュー選択が行われる際のディスプレイの画面例を示す図であり、「機能１：ディスプレイ」のメニュー項目が選択されている状態を示す図である。
【図２２】圧力式ポインティングデバイスによりメニュー選択が行われる際のディスプレイの画面例を示す図であり、「機能２：メール」のメニュー項目が選択されている状態を示す図である。
【図２３】図２２の状態で「機能２：メール」のメニュー項目が選択されることで、携帯電話端末がメール機能に遷移した後のディスプレイの表示例を示す図である。
【図２４】圧力式ポインティングデバイスによるメニュー選択時の動作フローチャートである。
【符号の説明】
【０１３１】
１，１１  第１の筐体、２，１２  第２の筐体、３  ディスプレイ、４  連結部（ヒンジ部）、５  キー操作部、６  圧力式ポインティングデバイス、２０  方向表示アイコン、３１  アンテナ、３２  制御部、３３  通信回路、３４  表示部、３５  操作部、３６  メモリ、３８  圧力式ポインティングデバイス入力プロセッサ、３９  スピーカ、４０  マイクロホン、４４  検知センサ、４５  タイマー回路
【図１】
2005128802.tif 000003
【図２】
2005128802.tif 000004
【図３】
2005128802.tif 000005
【図４】
2005128802.tif 000006
【図５】
2005128802.tif 000007
【図６】
2005128802.tif 000008
【図７】
2005128802.tif 000009
【図８】
2005128802.tif 000010
【図９】
2005128802.tif 000011
【図１０】
2005128802.tif 000012
【図１１】
2005128802.tif 000013
【図１２】
2005128802.tif 000014
【図１３】
2005128802.tif 000015
【図１４】
2005128802.tif 000016
【図１５】
2005128802.tif 000017
【図１６】
2005128802.tif 000018
【図１７】
2005128802.tif 000019
【図１８】
2005128802.tif 000020
【図１９】
2005128802.tif 000021
【図２０】
2005128802.tif 000022
【図２１】
2005128802.tif 000023
【図２２】
2005128802.tif 000024
【図２３】
2005128802.tif 000025
【図２４】
2005128802.tif 000026